(57)【要約】      （修正有）【課題】設備を多彩な角度から検索することが可能な設備管理システムを提供する。【解決手段】検索結果を検索結果一覧表示画面として表示装置６に表示するための画面を作成する画面フォーマット制御部、設備管理データベース４を管理するデータ管理部１２、及び前記ユーザ別検索表示画面に入力して前記データベースを検索するための検索項目を作成する検索項目管理部１３とを備えたユーザ別画面表示管理部３と、データ入力装置５と、検索結果を表示する表示装置６とを備え、検索項目管理部１３は、複数の検索項目を選択可能に前記表示装置の選択項目部に表示し、更に選択項目部に表示された検索項目のうち前記データ入力装置を介して選択された検索項目を前記入力装置の操作に応じて複数の選択欄のうちの何れか一つに移行して表示し、これらの選択欄に表示された検索項目を検索キーとして前記設備管理データベース４を検索する。【選択図】図１
2010211621.tif 000002
【特許請求の範囲】
【請求項１】
ユーザ毎に記憶したユーザ別検索表示画面および該ユーザ別検索表示画面に入力された検索項目を検索キーとして検索した結果を検索結果一覧表示画面として表示装置に表示するための画面を作成する画面フォーマット制御部、管理対象である設備の管理情報を格納した設備管理データベースを管理するデータ管理部、及び前記ユーザ別検索表示画面に入力して前記データベースを検索するための検索項目を作成する検索項目管理部とを備えたユーザ別画面表示管理部と、前記ユーザ別検索表示画面にデータを入力するためのデータ入力装置と、検索結果を表示する表示装置とを備え、
検索項目管理部は、複数の検索項目を選択可能に前記表示装置の選択項目部に表示し、更に選択項目部に表示された検索項目のうち前記データ入力装置を介して選択された検索項目を前記入力装置の操作に応じて複数の選択欄のうちの何れか一つに移行して表示し、これらの選択欄に表示された検索項目を検索キーとして前記設備管理データベースを検索することを特徴とするデータ管理装置。
【請求項２】
請求項１記載のデータ管理装置において、
検索項目管理部は曖昧検索欄を備え、曖昧検索欄に入力されたデータを用いて前記設備管理データベースを更に検索することを特徴とするデータ管理装置。    
【発明の詳細な説明】
【技術分野】
【０００１】
本発明は、設備管理システムに係り、特に設備の管理業務を支援するために画面遷移することなく、管理対象の設備について各種情報を任意に検索することのできる設備管理システムに関する。
【背景技術】
【０００２】
近年では、設備機器が多彩になり管理する設備データは増加する一方である。このため、熟練技術者を養成するには多くの時間を要する。また、設備の稼働環境も日々変化しており、故障が発生すると製造ロスが発生し会社経営に影響を及ぼすことがある。
【０００３】
このような背景のもと、ライフサイクルが長い設備、あるいは多彩な設備を数多く保有している企業などでは、設備の保守に関する幅広い知識を保有し管理を適切に行う必要がある。このため、熟練者の技術を蓄積し、情報を共有し素早い対応を図ることが急務であり、様々なデータ管理手法や設備管理システムが提案されている。例えば特許文献１のデータベース登録管理方法、特許文献２の検索方法、特許文献３のＣＲＴ式ビル管理システムの画面遷移方法などである。
【０００４】
特許文献１のデータベース登録管理方法によれば、登録要求データのフォーマット変更や新たなフォーマットの追加にも柔軟に対応でき、プログラムの修正や、データベースの知識を習得することなくデータの属性変更や追加を行え、データベース構築変更作業の負荷を軽減することができる。
【０００５】
特許文献２の設備管理資料検索システムによれば、大分類・中分類・小分類選択画面より選択された資料の分類の一覧を表示する分類選択画面表示と、大分類・中分類・小分類選択画面において、分類が選択されると、詳細選択画面へ遷移し、選択された分類を表示するとともに、分類の詳細目次の一覧を表示する詳細選択画面表示と、イメージ表示画面へ遷移し、対応する資料のイメージを表示するイメージ表示画面を大分類・中分類・小分類とに分けて表示し登録データを管理することにより検索を容易にすることができる。
【０００６】
特許文献３のＣＲＴ式ビル管理システムの画面遷移方法よれば、設備画面内に表示されたポップアップメニューの中から予め登録してある他の設備画面を選択することにより基本画面や設備メニュー画面を介さずに直接表示するようにし、画面体系の階層構造に捉われずに、画面操作の省力化、効率化を図ることができる。
【先行技術文献】
【特許文献】
【０００７】
【特許文献１】特開２００６−４０２６号公報
【特許文献２】特開平１０−１０５５６５号公報
【特許文献３】特開平５−１８９６７８号公報
【発明の概要】
【発明が解決しようとする課題】
【０００８】
従来のデータの管理方法あるいは画面遷移方法を使用した設備管理システムなどでは、情報を検索することは可能である。しかし、処理すべき情報量は増加傾向にあり、機器管理方法の統一化を図ることは困難である。
【０００９】
例えば、広域に分散して配置されている工場などに設置している設備については、管理機器名称がバラバラで同一機種でも工場毎に別々の名称で管理されているケースがある。このような場合においては、設備の故障等が発生したとき、類似の故障を検索して故障の原因を検索するには長時間を要する。
【００１０】
本発明は、これらの問題点に鑑みてなされたもので、設備を多彩な角度から検索することが可能な設備管理システムを提供するものである。
【課題を解決するための手段】
【００１１】
本発明は上記課題を解決するため、次のような手段を採用した。
【００１２】
ユーザ毎に記憶したユーザ別検索表示画面および該ユーザ別検索表示画面に入力された検索項目を検索キーとして検索した結果を検索結果一覧表示画面として表示装置に表示するための画面を作成する画面フォーマット制御部、管理対象である設備の管理情報を格納した設備管理データベースを管理するデータ管理部、及び前記ユーザ別検索表示画面に入力して前記データベースを検索するための検索項目を作成する検索項目管理部とを備えたユーザ別画面表示管理部と、前記ユーザ別検索表示画面にデータを入力するためのデータ入力装置と、検索結果を表示する表示装置とを備え、検索項目管理部は、複数の検索項目を選択可能に前記表示装置の選択項目部に表示し、更に選択項目部に表示された検索項目のうち前記データ入力装置を介して選択された検索項目を前記入力装置の操作に応じて複数の選択欄のうちの何れか一つに移行して表示し、これらの選択欄に表示された検索項目を検索キーとして前記設備管理データベースを検索する。
【発明の効果】
【００１３】
本発明は、以上の構成を備えるため、設備を多彩な角度から検索することが可能な設備管理システムを提供することができる。
【図面の簡単な説明】
【００１４】
【図１】実施形態に係る設備管理システムの構成を説明する図である。
【図２】設備管理データベースの例を説明する図である。
【図３】検索項目を設定する操作を説明する図である。
【図４】ユーザ別に作成された検索結果表示画面を説明する図である。
【図５】ユーザ別検索項目選択画面の例を示す図である。
【図６】検索結果表示画面の例を示す図である。
【発明を実施するための形態】
【００１５】
以下、実施形態を添付図面を参照しながら説明する。図１は、本発明の実施形態に係る設備管理システム１の構成を説明する図である。図１に示すように、設備管理システムはデータ管理装置２を備える。データ管理装置２には、設備の情報を登録し、あるいは登録された設備の情報を検索するための検索式を入力するデータ入力装置５、および前記検索の結果を表示する表示装置６が接続される。
【００１６】
データ管理装置３は、ユーザ別表示管理部３および設備機器の情報を格納した設備管理データベース４を備える。また、ユーザ別表示管理部３は、画面フォーマット制御部１１、データ管理部１２、検索項目管理部１３を備える。ここで、画面フォーマット制御部は１１は、ユーザ毎に記憶した、後述するユーザ別検索表示画面３０および該ユーザ別検索表示画面３０に入力された検索項目を検索キーとして検索した結果を検索結果一覧表示画面として表示装置に表示するための画面を作成する。データ管理部１２は、管理対象である設備の管理情報を格納した設備管理データベース４を管理する。また、検索項目管理部１３は、個々のユーザが設備の管理項目をユーザ単位で任意に選択して検索項目として設定したデータを記憶し、ユーザがデータ管理装置１を操作する際、ユーザ毎にユーザ別検索項目選択画面に表示することができる。
【００１７】
図２は、設備管理データベースの例を説明する図である。設備管理データベース２０は、管理対象である設備の管理情報を格納したデータベースであり、管理項目とし、項目番号２１、地区名２２、機器名称２３、データ項目２４・・・等を含む。なお、管理項目は任意に増減することが可能である。また、このような管理項目を含むデータ（レコード１〜ｎ）は前記データ入力装置を操作して入力することができる。
【００１８】
図３は、検索項目（検索キー）を設定する操作を説明する図である。図３に示すように 検索項目管理部１３は、予め選定された複数の検索項目を選択可能に前記表示装置の選択項目部３４に表示している。ユーザは、前記選択項目部３４に表示された検索項目のうちの一つを前記データ入力装置５を用いて選択し、選択した検索項目を、例えば選択欄（左）３１に入力する。次いで、前記選択項目部３４に表示された検索項目のうちの他の一つを前記データ入力装置５を用いて選択し、選択した検索項目を、例えば選択欄（中央）３２に入力する。以下同様に入力して、各選択欄に検索項目（検索キー）を挿入する。これにより、ユーザは、ユーザ毎に容易に検索式を決定することができる、また作成しいた検索項目は保存しておくことができる。
【００１９】
図４は、ユーザ別に作成された検索結果表示画面を説明する図である。検索結果表示画面４０には、ユーザ別検索表示画面４１、及び検索ボタン４２を表示する。また、ユーザ別検索表示画面４１には前記選択欄３１，３２，３３に入力された検索項目（検索キー）を表示する。選択欄３１，３２，３３に入力された検索項目（検索キー）を用いて得られる検索結果は、検索結果一覧表示画面４４に表示する。
【００２０】
管理項目別曖昧検索画面４３には、ユーザが任意に指定した検索キーに完全に一致しない場合でも検索対象とすることのできる項目を検索キーとして入力する。
【００２１】
このように、検索結果表示画面４０に、図３において選択した検索項目をユーザ別検索表示画面４１として表示した状態で、検索ボタン４２を押すと、検索結果一覧表示画面４４に検索結果が表示される。
【００２２】
また、管理項目別曖昧検索画面４３に任意の文字を入力し、再度検索ボタン４２を押すと、曖昧検索の条件に合致した結果を検索結果一覧表示画面４４に表示することができる。なお、管理項目別曖昧検索画面４３には、ＡＮＤ（入力された文字が全て含まれる）、ＯＲ（入力された文字の何れかが含まれる）、ＮＯＴ（入力された文字を含まない）などの条件を付加することが可能であり、検索画面から検索結果を表示するプロセスの一元化を提供している。また、管理項目別曖昧検索４３だけの条件で検索することも可能としている。
【００２３】
図５，６は、以上の処理により表示装置６に実際に表示される画面の例を示す図であり、図５は図３に示すユーザ別検索項目選択画面３０の例を示す図である。また、図６は図４に示す検索結果表示画面４０の例を示す図である。以上、本発明を実施するための形態について説明したが、これらは代表的な例に過ぎず、本発明はその趣旨を逸脱することのない範囲で様々な形態で実施することができる。
【００２４】
以上説明したように、本実施形態によれば、ユーザは、設備を管理する項目（選択項目部３４）から自由に選択した項目を検索項目（選択キー）とすることができる。また、検索項目の作成に際して、曖昧検索を併用または単独で使用することが可能である。このため、設備の保守についての管理業務の支援をより効果的に行うことができる。また、熟練者でなくとも、管理すべき設備の情報を短時間で効率よく検索し、管理に要する情報を容易に探し出すことができる。これにより、管理すべき設備が多彩であっても保全業務を円滑に支援することが可能になる。
【符号の説明】
【００２５】
１  設備管理システム
２  データ管理装置
３  ユーザ別表示管理部
４  設備管理データベース
５  データ入力装置
６  表示装置
１１  画面フォーマット制御部
１２  データ管理部
１３  検索項目管理部
【図１】
2010211621.tif 000003
【図２】
2010211621.tif 000004
【図３】
2010211621.tif 000005
【図４】
2010211621.tif 000006
【図５】
2010211621.tif 000007
【図６】
2010211621.tif 000008